(57)【要約】【課題】使用前段階での不正使用を防止し、安全、確実な使用を保証する電磁シールド部材を備えた非接触型ＩＣラベルを提供する。【解決手段】電磁シールド部材を備えた非接触型ＩＣラベル２１は、非接触で電磁波による情報の授受を行うＩＣチップ、ＩＣアンテナを有するＩＣユニットを設けたラベル基材１１の裏面に接着剤１２を設けてなる非接触型ＩＣラベル１３の表面に、裏面に接着後に剥離可能な接着剤２を備えた電磁波を遮断する電磁シールドフィルムたる金属箔フィルム１を前記接着剤２で剥離可能に接着する一方、ラベル基材１１裏面の接着剤１２を、電磁波を遮断する電磁シールド性を備えた剥離フィルム１５で被覆してなる。【選択図】      図１
2004310479.tif 000002
【特許請求の範囲】
【請求項１】
非接触で電磁波による情報の授受を行うＩＣチップ、ＩＣアンテナを有するＩＣユニットを設けるとともに、裏面に接着剤を設けてなる非接触型ＩＣラベルであって、前記裏面の接着剤を、電磁波を遮断する電磁シールド性を備えた剥離フィルムで被覆してなることを特徴とする電磁シールド部材を備えた非接触型ＩＣラベル。
【請求項２】
非接触で電磁波による情報の授受を行うＩＣチップ、ＩＣアンテナを有するＩＣユニットを設けるとともに、裏面に接着剤を設けてなる非接触型ＩＣラベルであって、このラベル表面には、裏面に接着後に剥離可能な接着剤を備えた電磁波を遮断する電磁シールドフィルムを前記接着剤で剥離可能に接着する一方、ラベル裏面に設けた接着剤を、電磁波を遮断する電磁シールド性を備えた剥離フィルムで被覆してなることを特徴とする電磁シールド部材を備えた非接触型ＩＣラベル。
【請求項３】
電磁シールドフィルムの裏面の接着剤は、接着後に剥離可能で、かつ剥離後に再接着可能であって、再接着と再剥離が繰り返し可能であることを特徴とする請求項２記載の電磁シールド部材を備えた非接触型ＩＣラベル。
【発明の詳細な説明】
【０００１】
【発明の属する技術分野】
本発明は、商品管理等のために各種商品や帳票等の媒体に接着して使用する非接触型ＩＣラベルに関し、特に、使用前段階で電磁波の影響を受けにくい電磁シールド部材を備えた非接触型ＩＣラベルに関する。
【０００２】
【従来の技術】
従来から、非接触型ＩＣカードの保管中や移送中に、外部からの電磁波でＩＣカードに書き込まれた情報を読み取られたり、改ざんされることを防ぐために、前記電磁波を遮断するための電磁シールド部材を用いた非接触型ＩＣカードの収納体は知られている（例えば、特許文献１，２参照）。
【０００３】
【特許文献１】
特開平１１−４５３１６号公報
【特許文献２】
特開平１１−３４８４７１号公報
【０００４】
【発明が解決しようとする課題】
ところが、これら従来の収納体は非接触型ＩＣカード用としてケース状や冊子状に構成されているので、非接触型ＩＣラベルに適用するには、使い勝手が悪いという不都合がある。このため、非接触型ＩＣラベルに適した電磁波の影響を抑える電磁シールド部材の開発が要望されている。本発明はこの要望に応えるべく開発した電磁シールド部材を備えた非接触型ＩＣラベルを提供するものである。
【０００５】
【課題を解決するための手段】
本発明の請求項１に記載した電磁シールド部材を備えた非接触型ＩＣラベルは、非接触で電磁波による情報の授受を行うＩＣチップ、ＩＣアンテナを有するＩＣユニットを設けるとともに、裏面に接着剤を設けてなる非接触型ＩＣラベルであって、前記裏面の接着剤を、電磁波を遮断する電磁シールド性を備えた剥離フィルムで被覆してなることを特徴とする。
【０００６】
また、本発明の請求項２に記載した電磁シールド部材を備えた非接触型ＩＣラベルは、非接触で電磁波による情報の授受を行うＩＣチップ、ＩＣアンテナを有するＩＣユニットを設けるとともに、裏面に接着剤を設けてなる非接触型ＩＣラベルであって、このラベル表面には、裏面に接着後に剥離可能な接着剤を備えた電磁波を遮断する電磁シールドフィルムを前記接着剤で剥離可能に接着する一方、ラベル裏面に設けた接着剤を、電磁波を遮断する電磁シールド性を備えた剥離フィルムで被覆してなることを特徴とする。このように構成すると、非接触型ＩＣラベルの表裏両面側を電磁シールドできるので、電磁波の遮断性はより向上する。
【０００７】
さらに、本発明の請求項３に記載した電磁シールド部材を備えた非接触型ＩＣラベルは、上記請求項２に係る非接触型ＩＣラベルの構成において、電磁シールドフィルムの裏面の接着剤が、接着後に剥離可能で、かつ剥離後に再接着可能であって、再接着と再剥離を繰り返し可能であることを特徴とする。このように構成すると、同一の電磁シールドフィルムを何回も使用できて好適である。
【０００８】
【発明の実施形態】
以下、本発明の好適な実施形態を添付図面に基づき詳細に説明する。ここにおいて、図１は表裏両面側を電磁シールドした非接触型ＩＣラベルの概略的な断面図、図２は非接触型ＩＣラベルを媒体に接着した状態の概略的な断面図、図３は電磁シールドフィルムである金属箔フィルムを非接触型ＩＣラベルの表面側と媒体の裏面側に接着した状態の概略的な断面図である。
【０００９】
図１に示すように、電磁シールド部材を備えた非接触型ＩＣラベル２１は、非接触で電磁波による情報の授受を行うＩＣチップ、ＩＣアンテナを有するＩＣユニット（いずれも図示せず）を設けたラベル基材１１の裏面に接着剤１２を設けてなる非接触型ＩＣラベル１３の表面に、裏面に接着後に剥離可能な接着剤２を備えた電磁波を遮断する電磁シールドフィルムたる金属箔フィルム１を前記接着剤２で剥離可能に接着する一方、前記接着剤１２を、電磁波を遮断する電磁シールド性を備えた剥離フィルム１５で被覆してなる。
【００１０】
非接触型ＩＣラベル１３の接着剤１２は、通常の粘着力を有し、一旦接着すると剥離困難な強粘着性のものである。この接着剤１２を被覆する剥離フィルム１５は、アルミニウム、銅、鉄などの金属、パーマロイ等の合金、フェライト等をフィルム状に形成して基材としたうえ、基材の一面側を剥離処理して構成したり、前記金属等をポリエチレンフィルム、ポリエチレンテレフタレートフィルムなどに蒸着、スパッタリング、貼着等してフィルム状に形成して基材としたうえ、基材の前記接着剤１２と対接する一面側を剥離処理して構成することができる。また、これらの基材に換えて、繊維状プラスチックに金属繊維を混合したものをフィルム状に圧縮して形成した電磁シールドフィルムを基材として使用することもできる。
【００１１】
また、図１及び図３に示す電磁シールドフィルムたる金属箔フィルム１は、アルミニウム、銅、鉄などの金属、パーマロイ等の合金、フェライト等をフィルム状に形成したり、前記金属等をポリエチレンフィルム、ポリエチレンテレフタレートフィルムなどに蒸着、スパッタリング、貼着等して形成することができる。また、金属箔フィルム１に換えて、繊維状プラスチックに金属繊維を混合したものをフィルム状に圧縮して形成した電磁シールドフィルムを使用することもできる。
【００１２】
金属箔フィルム１の裏面に設けた接着剤２は、接着力が弱く、接着後に剥離可能で、かつ剥離後には再接着可能であって、繰り返し再接着、再剥離が可能なものである。この接着剤２としては、公知のこの種接着剤の中から選択して使用することができるが、例えば、弱粘着性で繰り返し再接着、再剥離が可能な接着剤を挙げることができる。
【００１３】
このように、表面側は金属箔フィルム１で被覆され、裏面側は剥離フィルム１５で被覆された非接触型ＩＣラベル１３は、電磁波が遮断されるので、そのＩＣチップやアンテナ線を有するＩＣユニットへの電磁波の影響を受けにくく、前記非接触型ＩＣラベル１３に記録したデータの改ざん等の不正使用を防止できる。そして、この非接触型ＩＣラベル１３は、剥離フィルム１５を剥離して露出した接着剤１２によって、管理対象となる帳票や各種商品等の所望の媒体１４の適所に接着し、さらに金属箔フィルム１を剥離すれば、図２に示す使用可能状態となり、非接触型ＩＣラベル１３のＩＣユニットに対して電磁波を利用した情報の授受を行うことができる。
【００１４】
一方、上述した図２状態の非接触型ＩＣラベル１３のＩＣユニットへの電磁波の影響を遮断するには、この非接触型ＩＣラベル１３を、上述した金属箔フィルム１によって直接的、あるいは間接的に被覆すればよいものである。すなわち、図３に示すように、前記非接触型ＩＣラベル１３の表面全体を被覆するように金属箔フィルム１を裏面の接着剤２で接着し、媒体１４の前記非接触型ＩＣラベル１３接着面と反対面側の前記非接触型ＩＣラベル１３対応部分にも同様に、金属箔フィルム１を裏面の接着剤２で接着する。なお、図示のように、前記金属箔フィルム１は、前記非接触型ＩＣラベル１３よりも一回り大きいものを使用すると、より確実に外部からの電磁波を遮断できる。
【００１５】
なお、本発明は上述した実施形態に限定されるものではなく、例えば、金属箔フィルム１による非接触型ＩＣラベル１３の被覆は必ずしも必要ではなく、剥離フィルム１５で、非接触型ＩＣラベル１３の裏面側のみを被覆する構成でもよい。また、金属箔フィルム１裏面の接着剤２として、剥離後に再接着可能で、繰り返し再接着、再剥離が可能なものを使用すれば、同一の金属箔フィルム１を繰り返し使用できるという利点があるが、これに替えて剥離後には再接着不可能な接着剤を使用してもよいものである。
【００１６】
【発明の効果】
以上説明したところで明らかなように、本発明の請求項１に係る電磁シールド部材を備えた非接触型ＩＣラベルによれば、裏面の剥離フィルムを電磁シールド性を有する部材で構成するので、使用前段階における電磁波の影響を受けにくくなり、記録したデータの改ざん等の不正使用を防止し、非接触型ＩＣラベルの安全かつ確実な使用を保証するという効果を奏する。また、本発明の請求項２に係る電磁シールド部材を備えた非接触型ＩＣラベルによれば、表裏両面を電磁シールド部材で被覆するので、使用前段階における電磁波の影響を確実に排除でき、記録したデータの改ざん等の不正使用を防止し、非接触型ＩＣラベルの安全かつ確実な使用を保証するという効果がより一層向上する。さらに、本発明の請求項３に係る電磁シールドフィルムによれば、前記請求項２に係る発明の効果に加えて、同一の電磁シールドフィルムを何回も繰り返し使用できるという効果を奏する。
【図面の簡単な説明】
【図１】表裏両面側を電磁シールドした非接触型ＩＣラベルの概略的な断面図。
【図２】非接触型ＩＣラベルを媒体に接着した状態の概略的な断面図。
【図３】金属箔フィルムを非接触型ＩＣラベルの表面側と媒体の裏面側に接着した状態の概略的な断面図。
【符号の説明】
１      金属箔フィルム
２      接着剤
１１      ラベル基材
１２      接着剤
１３      非接触型ＩＣラベル
１４      媒体
１５      剥離フィルム
２１      電磁シールド部材を備えた非接触型ＩＣラベル
【図１】
2004310479.tif 000003
【図２】
2004310479.tif 000004
【図３】
2004310479.tif 000005